(57)【特許請求の範囲】
【請求項１】
ワイヤハーネスの挿通方向に延在する底板部と、該底板部の両側に側板部を有するプロテクタ本体を備える樹脂成形品のプロテクタであって、
前記挿通方向の中間位置に、前記底板部を横断する薄肉ヒンジ部を有すると共に該薄肉ヒンジ部の両側の前記側板部は分断した屈曲部を備え、
前記屈曲部を挟む一方側の第一側部の底板部の外面から、係止爪を先端に設けた係止片を突設している一方、前記屈曲部を挟む他方側の第二側部の底板部の外面から前記係止爪を挿入係止する係止穴を有する被係止部を突設し、前記薄肉ヒンジ部を支点として前記第一側部と第二側部を外向きに屈曲させて前記係止爪を係止穴に回転係止可とし、前記係止片を回転方向に傾斜させて突設し、該係止片の先端の係止爪は、その反回転側斜辺が前記係止片から突出して係止面を形成する断面三角形状としている一方、前記係止穴は、該係止爪の反回転側斜辺との接触側内面を該係止爪の回転軌跡に対応させた傾斜面とし、前記係止穴の傾斜面に摺接して挿入された該係止爪が係止穴より突出した位置で前記係止面が係止穴の周縁に係止され、前記第一側部と第二側部とを所要角度の傾斜姿勢で結合保持することを特徴とするワイヤハーネス用プロテクタ。
【請求項２】
前記係止爪を先端に設けた係止片と、該係止爪が挿入係止する係止穴とを、前記第一及び第二側部の各底板部の幅方向にそれぞれ複数個並設している請求項１に記載のワイヤハーネス用プロテクタ。
【請求項３】
前記プロテクタ本体の第一側部と第二側部に夫々取り付ける蓋を備えている請求項１または請求項２に記載のワイヤハーネス用プロテクタ。
【請求項４】
請求項３に記載のワイヤハーネス用プロテクタをワイヤハーネスに取り付ける方法であって、
ワイヤハーネス組立台上から立設した支持棒で支持して、前記プロテクタ本体の底板部を下面側として前記第一側部と第二側部とを水平方向に連続させて載置し、
前記プロテクタ本体内を通してワイヤハーネスを構成する電線群を布線し、
前記電線布線後に、前記第一側部に前記蓋を取り付け、
ついで、前記プロテクタ本体を前記支持棒より上方へと持ち上げて前記第一側部と第二側部の底板部を薄肉ヒンジ部を支点として下向きに折り曲げ、前記第一側部の係止爪を回転させて前記係止穴に挿入係止して第一側部と第二側部とを所定角度の傾斜姿勢で結合保持し、
その後、第二側部に蓋を取り付けていることを特徴とするプロテクタのワイヤハーネスへの取付方法。
【発明の詳細な説明】
【技術分野】
【０００１】
本発明はワイヤハーネス用プロテクタおよび該プロテクタのワイヤハーネスへの取付方法に関し、詳しくは、二輪車や自動車等に屈曲させて配索するワイヤハーネスに外装するプロテクタであって、プロテクタの形状を改良してワイヤハーネスの取付作業性を向上するものである。
【背景技術】
【０００２】
近年、二輪車や自動車に配索するワイヤハーネスは、車体フレームや車体パネルに沿った狭いスペースに正確かつ高密度に配索する必要があると共に、ワイヤハーネスが外部干渉材と接触しないように保護する必要があるため、樹脂成形品からなるプロテクタを設けてワイヤハーネスに外装している場合が多い。
かつ、配索箇所との関係でワイヤハーネスを屈曲させて配索する場合、ワイヤハーネスを収容するプロテクタも屈曲させる必要が生じる。特に、オートバイ等の二輪車においては、車体フレームに対して屈曲してワイヤハーネスを配索する箇所が多いと共に、車体全体が小型であるためワイヤハーネスに対する他部品の干渉が発生しやすい。このため、屈曲あるいは傾斜して配索するワイヤハーネスをプロテクタで保護する必要がある箇所が多い。
【０００３】
プロテクタを屈曲させるものとして、例えば、特開２００２−４４８２５号公報（特許文献１）のワイヤハーネス用プロテクタが提供されている。
前記ワイヤハーネス用プロテクタは、図８に示すように、プロテクタ本体が屈曲されている箇所で第１プロテクタ本体１と第２プロテクタ本体２に分割されており、治具上にセットされた第１プロテクタ本体１に複数の電線ｗを並列状態に平面配索し、並列状態の電線ｗに第１プロテクタ本体１と間隔をあけて配置されている第２位置決めインナー部材３を装着し、第１プロテクタ本体１に第１蓋体４を被せてロック結合する。
ついで、第２位置決めインナー部材３を捻ることにより並列状態の電線ｗを一体的に捻り、並列状態の電線ｗを固定している第２位置決めインナー部材３を第２プロテクタ本体２に装着して第２プロテクタ本体２に電線ｗを配索する。その後、第２プロテクタ本体２に第２蓋体５を被せてロック結合すると同時に、第１プロテクタ本体１と第２プロテクタ本体２とを連結している。
【０００４】
【特許文献１】特開２００２−４４８２５号公報
【発明の開示】
【発明が解決しようとする課題】
【０００５】
しかしながら、前記特許文献１のプロテクタでは、第１プロテクタ本体１と第２プロテクタ本体２との電線ｗの配索作業を別々に行い、第１プロテクタ本体１に配索した電線ｗを捻った状態で第２プロテクタ本体２に配索しなければならないため、作業手順が複雑になる。
また、電線ｗを第１プロテクタ本体１、第２プロテクタ本体２に配索した後で、第１蓋体４、第２蓋体５を被せた第１プロテクタ本体１と第２プロテクタ本体２とを連結させるため、電線ｗの配索長さを調整するのが難しく、電線ｗの長さが長くなってしまった場合は、連結作業時に第１プロテクタ本体１と第２プロテクタ本体２との間から電線が飛び出る等してしまう恐れがあり、組立性が悪くなりやすい。
【０００６】
本発明は、前記問題に鑑みてなされたものであり、プロテクタへの電線の配線後に、該プロテクタを所要位置で屈曲させ、該屈曲状態を確実に保持することができる簡単な構成のプロテクタと、ワイヤハーネスへの該プロテクタの取り付け方法を提供することを課題としている。
【課題を解決するための手段】
【０００７】
前記課題を解決するために、本発明は、ワイヤハーネスの挿通方向に延在する底板部と、該底板部の両側に側板部を有するプロテクタ本体を備える樹脂成形品のプロテクタであって、
前記挿通方向の中間位置に、前記底板部を横断する薄肉ヒンジ部を有すると共に該薄肉ヒンジ部の両側の前記側板部は分断した屈曲部を備え、
前記屈曲部を挟む一方側の第一側部の底板部の外面から、係止爪を先端に設けた係止片を突設している一方、前記屈曲部を挟む他方側の第二側部の底板部の外面から前記係止爪を挿入係止する係止穴を有する被係止部を突設し、前記薄肉ヒンジ部を支点として前記第一側部と第二側部を外向きに屈曲させて前記係止爪を係止穴に回転係止可とし、前記係止片を回転方向に傾斜させて突設し、該係止片の先端の係止爪は、その反回転側斜辺が前記係止片から突出して係止面を形成する断面三角形状としている一方、前記係止穴は、該係止爪の反回転側斜辺との接触側内面を該係止爪の回転軌跡に対応させた傾斜面とし、前記係止穴の傾斜面に摺接して挿入された該係止爪が係止穴より突出した位置で前記係止面が係止穴の周縁に係止され、前記第一側部と第二側部とを所要角度の傾斜姿勢で結合保持することを特徴とするワイヤハーネス用プロテクタを提供している。
【０００８】
前記構成のプロテクタは、プロテクタ本体の底板部に屈曲支点となる薄肉ヒンジ部を設け、該薄肉ヒンジ部の両側に屈曲して傾斜姿勢とする第一側部と第二側部とを連続して備えている。前記第一側部の底板部の外面に係止爪を先端に設けた係止片を設ける一方、第二側部に前記係止爪が係止する係止孔を設けた被係止部とを突設していることにより、第一側部と第二側部の平坦面からなる底板部内面を連続した水平方向に配置した状態で電線群をプロテクタ本体内に布線した後に、第一側部と第二側部の底板部を外方に向けて屈曲させて係止爪を係止孔に挿入係止することで、ワイヤハーネスおよびプロテクタを同時に所要角度の傾斜姿勢とすることができる。
特に、プロテクタ本体の側板部ではなく、底板部の外面から係止片と被係止部とを突設することで、電線群の布線に影響を及ぼさず、かつ、係止片と被係止部とからなる結合部を大きくでき結合力を高めることができる。
【００１０】
本発明のプロテクタでは、薄肉ヒンジ部を支点として係止爪を設けた第一側部を第二側部側へと回転させて、第二側部の係止穴に挿入係止する必要がある。このように、回転させて係止する場合、回転軌跡の問題により、係止穴への係止爪の係止面の引っ掛かり量を多くすると、係止穴を係止爪が通る際に、係止穴の内周面に対して係止爪を押し付けながら挿入する必要があるため、大きな挿入力を要すると共に係止爪の変形量が大きくなる問題がある。
この問題に対して、本発明では、前記のように、回転させる第一側部の底板部から突設する係止片を回転方向に傾斜させる一方、第二側部の係止穴は係止爪の反回転側辺との接触側内面を、該係止爪の回転軌跡に対応させた傾斜面としている。よって、係止爪の係止面の引っ掛かり量を大きくしても、係止爪を係止穴に挿入する際に係止爪の先端が傾斜面に沿ってスムーズに摺接しながら係止穴に挿入することができる。
よって、係止穴の周縁への係止面の引っ掛かり量が大きくなるように係止爪を突出させても、係止穴に対する係止爪の挿入力を低減することができると共に、係止付爪の変形を防止することができ、係止作業時の問題を解消しながら係止力を強めてプロテクタの傾斜姿勢を確実に保持することができる。
【００１１】
前記係止片の係止爪の回転側辺は係止片の直線面に連続すると共に、前記反回転側斜辺は前記係止面に対して鋭角の傾斜面とし、該係止爪の反回転側辺の傾斜角度は、前記係止穴の傾斜角度と略同一であり、該係止爪の傾斜角度は前記係止片の前記底板部に対する傾斜角度より大きくしていることが好ましい。
【００１２】
前述したように、係止爪の反回転側辺の傾斜角度を係止穴の傾斜角度と略同一としていることで、係止爪の反回転側辺が係止穴の傾斜面と略平行な状態で挿入されるため、係止爪を係止穴にスムーズに挿入することができる。また、係止片の傾斜角度を係止穴の傾斜角度よりも大として角度差をつけることで、係止爪を係止穴に挿入した際に、係止爪の係止面を係止穴の周縁に確実に係止することができる。
【００１３】
前記係止片は底板部に対する傾斜角度は６５〜７５度が好ましく、特に７０度が好ましい。該係止片の先端の係止爪の反回転側辺の底板部に対する傾斜角度は４０〜５０度が好ましく、特に４５度が好ましく、該角度と平行となるように前記係止穴の傾斜角度を設定している。前記係止片の傾斜角度と係止爪の反回転側辺の傾斜角度の角度差は２０〜３０とすることが好ましい。
【００１４】
前記係止爪を先端に設けた係止片と該係止爪が挿入係止する係止孔とは、前記底板部の幅方向に複数個並設していることが好ましい。
本発明のプロテクタでは、底板部の外面より係止爪を先端に設けた係止片と、前記係止爪を挿入係止する係止孔を設けた被係止部とを突設しているため、底板部の幅方向に、該幅方向寸法に応じて２〜４個等の係止爪と係止孔とを設けることができ、このように複数個設けることでプロテクタの傾斜姿勢をより確実に保持することができる。
かつ、係止爪の係止片および係止孔を設ける被係止部はそれぞれ基部を共通として突設し、係止爪および係止孔の基部の強度を高めることが好ましい。
【００１５】
本発明のプロテクタでは、前記プロテクタ本体の第一側部と第二側部に夫々取り付ける蓋を備えている。
前記のように、プロテクタ本体に電線群を挿通してから、底板部を外向きに屈曲させるため、第一側部と第二側部の蓋のうち、少なくともいずれか一方を取り付けておき、屈曲時にプロテクタ本体に挿通した電線群がプロテクタ本体よりはみ出したり、離脱しないようにすることが好ましい。特に、プロテクタ本体の側壁が低く浅底である場合には、一方の蓋を取り付けて、電線群がプロテクタ本体内にしっかりと収容しておくことが好ましい。
【００１６】
前記プロテクタをワイヤハーネスに取り付ける方法として、
ワイヤハーネス組立台上から立設した支持棒で支持して、前記プロテクタ本体の底板部を下面側として前記第一側部と第二側部とを水平方向に連続させて載置し、
前記プロテクタ本体内を通してワイヤハーネスを構成する電線群を布線し、
前記電線布線後に、前記第一側部に前記蓋を取り付け、
ついで、前記プロテクタ本体を前記支持棒より上方へと持ち上げて前記第一側部と第二側部の底板部を薄肉ヒンジ部を支点として下向きに折り曲げ、前記第一側部の係止爪を回転させて前記係止穴に挿入係止して第一側部と第二側部とを所定角度の傾斜姿勢で結合保持し、
その後、第二側部に蓋を取り付けていることを特徴とするワイヤハーネスへのプロテクタ取付方法を提供している。
【００１７】
前記取付方法によると、ワイヤハーネスを配索経路に沿わせるために屈曲とする必要があるプロテクタを、ワイヤハーネス組立台上ではプロテクタ本体の第一側部と第二側部とを水平状態に保持しているため、ワイヤハーネスを構成する電線群を水平方向に高低差なく連続して布線することができ、布線作業性を高めることができる。かつ、電線群をプロテクタ本体に通して水平方向に布線した後、第一側部に蓋を取り付けた後に回転させて第二側部に対して傾斜させ、係止爪を係止穴に挿入係止してロックすれば、プロテクタ本体とワイヤハーネスとを同時に屈曲させて所要に配索方向に沿った傾斜姿勢に保持することができる。
このように、ワイヤハーネス組立作業台上では、プロテクタ本体を水平姿勢に保持して布線できる一方、布線後にプロテクタを薄肉ヒンジ部を支点として回転させロック結合するだけのワンタッチ作業で、ワイヤハーネスとプロテクタとを同時にワイヤハーネスの配索方向に対応した傾斜姿勢とすることが簡単にできる。
【発明の効果】
【００１８】
前述したように、本発明のプロテクタによれば、プロテクタ本体の底板部に電線群の配索方向と直交方向に薄肉ヒンジ部を設けて連続させ、該薄肉ヒンジ部の両側の第一側部と第二側部の底板部の外面に係止爪を先端に設けた係止片と前記係止爪が係止する係止孔を設けた被係止部とを突設していることにより、第一側部と第二側部の平坦面からなる底板部内面を連続した水平方向に配置した状態でワイヤハーネスを構成する電線群をプロテクタ本体内に布線した後に、第一側部と第二側部の底板部を外方に向けて屈曲させて係止爪を係止孔に挿入係止することで、ワイヤハーネスおよびプロテクタを同時に所要角度の傾斜姿勢とすることができる。
【００１９】
また、前記係止爪を回転させて係止穴に挿入係止する必要があるが、回転させる係止爪を先端に設けた係止片および係止穴を回転軌跡に対応して傾斜させると、係止穴への係止爪の係止面の引っ掛かり量を大きくするために係止面が大きくなる形状としても、係止穴への挿入時に係止爪の先端が係止穴内面の傾斜面に強く押し付けらずに、スムーズに摺接しながら挿入できる。よって、挿入力の低減を図りながら、係止面の引っ掛かり量を多くでき確実に傾斜姿勢に保持することができる。
【００２０】
本発明のワイヤハーネスへのプロテクタ取付方法によれば、ワイヤハーネスの配索姿勢に対応させて屈曲させる必要があるプロテクタを、ワイヤハーネス組立台上ではプロテクタ本体の第一側部と第二側部とを水平状態に連続させることができる。よって、ワイヤハーネスを構成する電線群を水平方向に連続的に布線することができ、布線作業性を高めることができる。また、電線群を布線した後に、プロテクタ本体の第一側部を回転させて第二側部に対してロック結合するだけで、ワイヤハーネスとプロテクタとを同時にワイヤハーネスの車両での配索姿勢に対応した屈曲姿勢に変換保持することが簡単にできる。
【発明を実施するための最良の形態】
【００２１】
以下、本発明の実施形態を図面を参照して説明する。
図１乃至図７に、本発明の実施形態のワイヤハーネス用のプロテクタを示す。
図１に示すプロテクタ１０は、二輪車の車体フレームに沿って配索されるワイヤハーネスＷ／Ｈに外装するものであり、ワイヤハーネスＷ／Ｈの配索経路に沿った屈曲形状とされる。
プロテクタ１０は、屈曲位置Ａで屈曲させる第一側部２１と第二側部２２とを有するプロテクタ本体１５と、第一側部２１に被せる第一蓋３１と第二側部２２に被せる第二蓋３２とを備えている。これらプロテクタ本体１５、第一、第二蓋３１、３２は樹脂成形品からなる。
【００２２】
前記プロテクタ本体１５の第一、第二側部２１、２２はいずれもワイヤハーネスの挿通方向Ｚに延在する底板部２１ａ、２２ａと、該底板部２１ａ、２２ａの幅方向の両側に側板部２１ｂ、２２ｂを有する形状であり、側板部２１ｂ、２２ｂが低い浅底の断面コ字状である。
前記第一、第二蓋３１、３２もプロテクタ本体１５と同様な形状で、プロテクタ本体１５の開口を閉鎖する閉鎖板部３１ａ、３２ａの両側から側板部３１ｂ、３２ｂが突設した浅底の断面コ字形状である。
前記プロテクタ本体１５の側板部２１ｂ、２２ｂの外面には係止枠２１ｒ、２２ｒを設ける一方、第一、第二蓋３１、３２の側板部３１ｂ、３２ｂの外面に係止爪３１ｒ、３２ｒを設け、ロック結合させるようにしている。
【００２３】
前記プロテクタ本体１５の屈曲位置Ａには図３（Ａ）〜（Ｃ）に概略的に示すように、ワイヤハーネス挿通方向Ｚの中間位置に、該挿通方向Ｚと直交する幅方向の全長にわたり薄肉ヒンジ部４０を設け、該薄肉ヒンジ部４０を介して第一側部２１と第二側部２２とを屈曲可能に連続させている。該薄肉ヒンジ部４０の両側の側板部２１ｂ、２２ｂとは分断している。
【００２４】
前記第一側部２１の底板部２１ａの外面（下面）には、薄肉ヒンジ部４０と近接する位置に、幅方向に並設した２個の係止片２１ｃを外方に向けて突設し、各係止片２１ｃの先端に係止爪２１ｄを設けている。前記係止片２１ｃは底板部２１ａに対して回転方向Ｘに角度α（本実施形態では７０°）で傾斜させて突出している。
係止片２１ｃの先端に設けた前記係止爪２１ｄは係止片２１ｃの先端から反回転方向Ｙに係止面２１ｅが突出する断面三角形状としている。該係止爪２１ｄの回転方向の回転側辺２１ｆは係止片２１ｃに直線状に連続すると共に、反回転方向Ｙの反回転斜辺２１ｇは係止面２１ｅに対して鋭角の角度β（本実施形態では４５°）で突出する傾斜面としている。
【００２５】
前記各係止片２１ｃは、図２（Ａ）に示すように、中央に隙間を有する幅広の基部２１ｃ−１より互いに近接させた幅狭部２１ｃ−２の先端縁の中央に前記係止爪２１ｄを設け、係止爪２１ｄの支持強度を高めた構成としている。また、係止爪２１ｄの挿入側先端はアールを設けた先端Ｒ部２１ｊとしている。
【００２６】
前記第二側部２２の底板部２２ａの外面（下面）には、薄肉ヒンジ部４０と近接する位置に、前記第一側部２１の係止片２１ｃと対向する位置に被係止壁２２ｃを外向きに突設している。
前記被係止壁２２ｃには、前記係止爪２１ｄが挿入係止する一対の係止穴２２ｄを幅方向に並列に設けている。各係止穴２２ｄは、係止爪２１ｄの反回転側辺２１ｇとの接触側内面を該反回転側辺２１ｇの回転軌跡に対応させた傾斜角度γ（本実施形態では４５°）とした傾斜面２２ｅとしている。即ち、該傾斜面２２ｅの傾斜角度γと係止爪２１ｄの傾斜角度βとを同一としている。
【００２７】
さらに、第二側部２２の底板部２２ａの外面には、前記係止爪２１ｄの挿入方向の先端側にストッパー部２２ｆを被係止壁２２ｃと平行方向に突設している。該ストッパー部２２ｆの突設長さは、係止爪２１ｄが係止穴２２ｄに挿入される際に、係止爪２１ｄの先端と干渉する長さに設定している。
【００２８】
前記プロテクタ本体１５の第一側部２１と第二側部２２の薄肉ヒンジ部４０とは反対側の先端にはそれぞれ挿通する電線群とテープ巻き固定する舌片２１ｔ、２２ｔを設けている。
【００２９】
前記プロテクタ本体１５の第一側部２１と第二側部２２とは、以下に説明する取り付け方法により、薄肉ヒンジ部４０を支点として屈曲され、図１および図２に示すように、第一側部２１の係止爪２１ｄが第二側部２２の係止孔２２ｄに回転しながら挿入係止され、図示した傾斜姿勢に保持される。
【００３０】
次に、プロテクタ１０にワイヤハーネスＷ／Ｈを取り付ける方法を説明する。
図４（Ａ）に示すように、ワイヤハーネス組立台５０上から立設した支持棒５１でプロテクタ本体１５を支持して、第一側部２１と第二側部２２とを水平方向に連続させて配置する。即ち、ワイヤハーネスを構成する電線群の布線時には、プロテクタ本体１５の第一側部２１、第二側部２２とは薄肉ヒンジ部４０を介して水平方向に連続させ、前記係止片２１ｃ、係止壁２２ｃを突設した底板部２１ａ、２２ａの外面を下面とし、底板部２１ａ、２２ａの平坦面からなる内面側を上向きにして支持している。
【００３１】
前記のように支持したプロテクタ本体５１の底板部２１ａ、２２ａおよび側板部２１ｂ、２２ｂに囲まれた配線空間内に、第一側部２１側から第二側部２２側へと、ワイヤハーネスＷ／Ｈを構成する電線群を布線する。該布線時は第一側部２１および第二側部は水平方向に連続するため、電線群は高低差をなく簡単に布線することができる。
【００３２】
電線群を布線した後、第一側部２１および第二側部２２の舌片２１ｔ、２２ｔと電線群とにテープＴを巻きつけて、電線群をプロテクタ本体１５に固定する。
ついで、図４（Ｂ）に示すように、第一側部２１にのみ第一蓋３１を被せ、第一蓋３１の係止爪３１ｒを第一側部２１の係止枠２１ｅに挿入係止してロック結合する。
【００３３】
その後、支持棒５１に支持された状態からプロテクタ本体１５を上方へ持ち上げ、図５〜図７に示すように、第一側部２１と第二側部２２とを傾斜姿勢にロック結合し、その後、第二側部２２に第二蓋３２を取り付けてロック結合している。
【００３４】
即ち、まず、図５に示すように、第一側部２１を薄肉ヒンジ部４０を支点としてＸ方向に回転させる。係止爪２１ｄが係止穴２２ｄに挿入され始めた状態では、第一側部２１の係止爪２１ｄの先端Ｒ部２１ｊが第二側部２２の係止穴２２ｄの傾斜面２２ｅに当接する。
さらに、第一側部２１をＸ方向に回転させていくと、図６に示すように、係止爪２１ｄの反回転側辺２１ｇが傾斜面２２ｅに摺接しながら係止穴２２ｄに係止爪２１ｄが挿入されていく。
【００３５】
係止穴２２ｄに挿入した係止爪２１ｄが、図７に示すように、係止爪２１ｄが係止穴２２ｄより突出した位置で、第一側部２１の係止爪２１ｄの係止面２１ｅが第二側部２２の係止穴２２ｄの周縁に係止する。
第一部２１の係止片２１ｃと第二側部２２の係止穴２２ｄとをロックした状態で、図１および図２（Ａ）（Ｂ）に示す状態となり、第一側部２１と第二側部２２は、傾斜角度を約９０度としてロック結合される。
このように、第一側部２１と第二側部２２をロック結合して傾斜姿勢で結合した後、前記のように、第二側部２２に第二蓋３２を被せてロック結合している。
【００３６】
前記取付方法によれば、ワイヤハーネス組立台５０上ではプロテクタ本体１５の第一側部２１と第二側部２２とを水平状態に連続させることができる。よって、ワイヤハーネスＷ／Ｈを水平方向に連続的に布線することができ、布線作業性を高めることができる。また、ワイヤハーネスＷ／Ｈを布線した後に、プロテクタ本体１５の第一側部２１を回転させて第二側部２２に対してロック結合するだけで、ワイヤハーネスＷ／Ｈとプロテクタ１０とを同時にワイヤハーネスの車両での配索姿勢に対応した屈曲姿勢に変換保持することが簡単にできる。
【００３７】
また、前記のように、係止爪２１ｄを先端に設けた係止片２１ｃおよび係止穴２２ｄの傾斜面２２ｅを回転軌跡に対応して傾斜させていることで、係止穴２２ｄへの係止爪２１ｄの係止面２１ｅの引っ掛かり量を大きくするために、係止面２１ｅが大きくなる形状としても、係止穴２２ｄへの挿入時に係止爪２１ｄの先端が係止穴２２ｄの傾斜面２２ｅに強く押し付けらずに、スムーズに摺接しながら挿入できる。よって、挿入力の低減を図りながら、係止爪２１ｄの引っ掛かり量を多くして、係止が外れずに確実に傾斜姿勢に保持することができる。
【００３８】
さらに、第二側部２２にストッパー部２２ｆを設けていることで、係止爪２１ｄが係止解除される方向に移動したとしても、ストッパー部２２ｆが係止爪２１ｄに当接して移動を制限することで、係止爪２１ｄが係止穴２２ｄから離脱するのを防止することができる。一方、ロックを解除する際には、ストッパー部２２ｆをＸ方向に撓ませることで、ストッパー部２２ｆと係止穴２２ｄの傾斜面２２ｅとの隙間を広げ、係止爪２１ｄを係止穴２１ｄから容易に離脱させることができる。
【図面の簡単な説明】
【００３９】
【図１】本発明の実施形態のプロテクタの斜視図である。
【図２】（Ａ）は第一側部と第二側部とのロック状態を示す斜視図、（Ｂ）は（Ａ）のＡ−Ａ線断面図である。
【図３】（Ａ）は屈曲部を概略的に示す断面図、（Ｂ）は係止爪側を示す拡大断面図、（Ｃ）は係止孔側を示す拡大断面図である。
【図４】（Ａ）はプロテクタ本体をプロテクタ組立台に配置した状態を示す斜視図、（Ｂ）は（Ａ）のプロテクタ本体にワイヤハーネスを配索した状態を示す斜視図である。
【図５】第一側部の係止爪を第二側部の係止穴に挿入し始める状態を示す断面図である。
【図６】第一側部の係止爪を第二側部の係止穴に挿入している途中の状態を示す断面図である。
【図７】第一側部の係止爪の第二側部の係止穴への挿入が完了した状態を示す断面図である。
【図８】従来例を示す図である。
【符号の説明】
【００４０】
１０  プロテクタ
２１  第一側部
２１ａ  底板部
２１ｃ  係止片
２１ｄ  係止爪
２１ｅ  係止面
２１ｆ  回転側辺
２１ｇ  反回転側辺
２２  第二側部
２２ｄ  係止穴
２２ｅ  傾斜面
２２ｆ  ストッパー片
４０  薄肉ヒンジ部
５０  ワイヤハーネス組立台
５１  支持棒
Ｗ／Ｈ  ワイヤハーネス
Ａ  屈曲部
α  係止片の傾斜角度
β  係止爪の反回転側辺の傾斜角度
γ  係止穴の傾斜面の傾斜角度
【図１】
0005012280.tif 000002
【図２】
0005012280.tif 000003
【図３】
0005012280.tif 000004
【図４】
0005012280.tif 000005
【図５】
0005012280.tif 000006
【図６】
0005012280.tif 000007
【図７】
0005012280.tif 000008
【図８】
0005012280.tif 000009